(57)【要約】【課題】検針員に正常動作を確認させることができる流体計測装置を提供する。【解決手段】プログラムにより動作して流路を流れる流体の使用量を計測し、該使用量を表示手段１４に表示させるプログラム実行手段１１ａを備える流体計測装置において、プログラム実行手段１１ａは、検針員からのプログラム実行手段１１ａの確認要求を検出する確認要求検出手段１１ａ１と、該確認要求の検出に応じてプログラム実行手段１１ａの動作を確認するめの確認項目に対応する処理を実行する処理実行手段１１ａ２と、該実行に応じた処理結果と管理項目に対応した判定条件とを比較して管理項目が正常であるか否かを判定する判定手段１１ａ３と、該判定結果に基づいて管理項目に対応した処理結果を検針員に確認させるための確認用情報を生成する確認用情報生成手段１１ａ４と、該生成した確認用情報を表示手段１４に表示させる表示制御手段１１ａ５と、を備える。【選択図】図１
2006038739.tif 000002
【特許請求の範囲】
【請求項１】
プログラムにより動作して流路を流れる流体の使用量を計測し、該使用量を表示手段に表示させる等の各種制御を行うプログラム実行手段を備える流体計測装置において、
前記プログラム実行手段は、
前記流体の使用量を確認する検針員からの前記プログラム実行手段の動作確認を要求する確認要求を検出する確認要求検出手段と、
前記確認要求検出手段による確認要求の検出に応じて、前記プログラム実行手段の動作を確認するために予め定められた確認項目に対応する処理を実行する処理実行手段と、
前記処理実行手段による実行に応じた処理結果と前記管理項目に対応して予め定められた判定条件とを比較して前記管理項目が正常であるか否かを判定する判定手段と、
前記判定手段の判定結果に基づいて前記管理項目に対応した処理結果を前記検針員に確認させるための確認用情報を生成する確認用情報生成手段と、
前記確認用情報生成手段が生成した確認用情報を前記表示手段に表示させる表示制御手段と、
を備えることを特徴とする流体計測装置。
【発明の詳細な説明】
【技術分野】
【０００１】
本発明は、流体計測装置に関し、より詳細には、プログラムにより動作して流路を流れる流体の使用量を計測し、該使用量を表示手段に表示させる等の各種制御を行うプログラム実行手段を備える流体計測装置に関するものである。
【背景技術】
【０００２】
ガスメータは、マイクロ・コンピュータ（マイコン）を内蔵しており、該マイコンは、流量センサが出力するガスの流れに応じた信号に基づいてガスの流量を計測し、多量の流量が計測された場合や、通常ではあり得ないほどの長時間使用があった場合等に異常と判定し、内蔵する遮断弁を制御してガスの供給を遮断し、ガス事故の発生を未然に防止するようになされている。
【０００３】
また、ガス事業者は一月に一回程度、消費者のガス使用量を確認するための検針作業を行っており、その際には、検針値を確認するだけではなく、ガスメータが正常に作動しているか否かの確認も行うようにしている。しかしながら、現状のガスメータの確認事項は、「異常な表示がないこと」を目視にて確認する程度であるため、表示のみでの判断結果では、マイコンに異常が発生していても、作業員は気づくことができない可能性があった。
【０００４】
マイコンに異常が発生している状態が継続した場合、ガスメータは計量・保安に関する全ての機能が保証できなくなり、取引上及び安全上の面で問題となるため、このような異常な状態が長期的に報知されないように、点検の際にマイコンの異常を確実に検知する必要性があった。
【０００５】
マイコンの動作異常時にマイコンに「割り込み」または「リセット」を発生させて、ソフトウェアによる処理でシステムのフェールセーフを確保しようという技術思想が従来より提案されてきた。そして、このような装置では、マイコンの異常を検出する異常検出手段を設け、該異常検出手段による検出に応じて所定信号を出力し、イニシャル処理時にその信号を検出すると、マイコン異常によるリセットがあったと判断して報知を行う技術思想が知られている（特許文献１参照）。
【特許文献１】特開２００３−５７０８３号公報
【発明の開示】
【発明が解決しようとする課題】
【０００６】
しかしながら、上述したようにマイコン異常によるリセット、割り込み等の発生を報知する機能を有するガスメータも存在するが、リセット後にマイコンが正常状態に復帰して動作しているか否かを判断することはできなかった。そのため、ガス事業者等は、検針の際に確実に正常状態に戻っていることを検針員に確認させたいという要望があった。そこで、このような要望に応えるために、ガスメータに接続する外部の電文装置を使用することを検討したが、電文装置をガスメータに接続して複数の電文を入力する必要があり、作業効率が悪く、検針員に浸透しないという問題があった。
【０００７】
よって本発明は、上述した問題点に鑑み、検針員に正常動作を確認させることができる流体計測装置を提供することを課題としている。
【課題を解決するための手段】
【０００８】
上記課題を解決するため本発明によりなされた請求項１記載の流体計測装置は、図１の基本構成図に示すように、プログラムにより動作して流路を流れる流体の使用量を計測し、該使用量を表示手段１４に表示させる等の各種制御を行うプログラム実行手段１１ａを備える流体計測装置において、前記プログラム実行手段１１ａは、前記流体の使用量を確認する検針員からの前記プログラム実行手段１１ａの動作確認を要求する確認要求を検出する確認要求検出手段１１ａ１と、前記確認要求検出手段１１ａ１による確認要求の検出に応じて、前記プログラム実行手段１１ａの動作を確認するために予め定められた確認項目に対応する処理を実行する処理実行手段１１ａ２と、前記処理実行手段１１ａ２による実行に応じた処理結果と前記管理項目に対応して予め定められた判定条件とを比較して前記管理項目が正常であるか否かを判定する判定手段１１ａ３と、前記判定手段１１ａ３の判定結果に基づいて前記管理項目に対応した処理結果を前記検針員に確認させるための確認用情報を生成する確認用情報生成手段１１ａ４と、前記確認用情報生成手段１１ａ４が生成した確認用情報を前記表示手段１４に表示させる表示制御手段１１ａ５と、を備えることを特徴とする。
【０００９】
上記請求項１に記載した本発明の流体計測装置によれば、確認要求検出手段１１ａ１によって検針員からの確認要求が検出されると、処理実行手段１１ａ２によって例えば、流体の流量の計測、記憶装置からのデータの読み込み、記憶装置へのデータの書き込み等の管理項目に対応する処理が実行される。そして、処理実行手段１１ａ２によって管理項目に対応する処理が実行されると、判定手段１１ａ３によってその処理結果と管理項目に対応する判定条件とが比較され、該比較結果に基づいて管理項目が正常であるか否かが判定される。そして、その判定結果に基づいた管理用情報が確認用情報生成手段１１ａ４によって生成されると、表示制御手段１１ａ５による制御によって該確認用情報は表示手段１４に表示される。
【発明の効果】
【００１０】
以上説明したように請求項１に記載した本発明の流体計測装置によれば、流路を流れる流体の使用量を計測し、該使用量を表示手段に表示させるプログラム実行手段が、検針員からの動作確認要求を検出した際に、管理項目に対応する処理を実行し、該処理結果とその判定条件との比較結果に基づいて判定を行い、該判定結果に基づいた確認用情報を生成して前記表示手段に表示させるようにしたことから、検針員は予め定められた管理項目とその確認用情報を参照してプログラム実行手段が正常に動作しているか否かを容易に判定することができる。従って、複雑な入力操作を必要とせず、検針員は表示される確認用情報に基づいて動作確認を容易に行うことができるため、検針時の作業項目の１つとして浸透させることができる。さらに、流体計測装置における既存の操作手段により確認要求を発生させることで、流体計測装置のコストへの影響もない。また、管理項目に対応したプログラム実行手段の処理結果をさらに有するように確認用情報を生成することで、検針員は診断結果情報が示す判定結果と処理結果を比較して正常に動作しているか否かを判定することができるため、異常の有無が明確になり、より正確な動作確認を行うことができる。
【発明を実施するための最良の形態】
【００１１】
以下、本発明に係る流体計測装置をガスメータに適用した場合の一実施の形態を、図２〜図５の図面を参照して説明する。
【００１２】
ここで、図２は本発明の流体計測装置を適用したガスメータの概略構成の一例を示す構成図であり、図３は図２のＣＰＵが実行する検針員確認処理の一例を示すフローチャートであり、図４は確認用情報の表示例を示す図であり、図５は確認用情報の他の表示例を示す図である。
【００１３】
ガスメータ１０は、図３に示すように、予め定められたプログラムに従って動作するマイクロプロセッサ（ＭＰＵ）１１を有している。ＭＰＵ１１は、周知のように、予め定めたプログラムに従って各種の処理や制御などを行う中央演算処理装置（ＣＰＵ：コンピュータに相当）１１ａ、ＣＰＵ１１ａのためのプログラム等を格納した読み出し専用のメモリであるＲＯＭ１１ｂ、各種のデータを格納するとともにＣＰＵ１１ａの処理作業に必要なエリアを有する読み出し書き込み自在のメモリであるＲＡＭ１１ｃ等を有して構成している。そして、ガスメータ１０は、電池等からなる電源部１０ａから供給される電力によって動作している。
【００１４】
ＲＯＭ１１ｂには、ガス流路を流れるガスの使用量を計測し、該使用量を後述する警報表示部（表示手段）１４に表示させるための手段としてＣＰＵ１１ａ１（コンピュータ）を機能させるための流体計測プログラムを記憶している。
【００１５】
ＲＯＭ１１ｂはさらに、ガス（流体）の使用量を確認する検針員からのＣＰＵ（プログラム実行手段）の動作確認を要求する確認要求を検出する確認要求検出手段、前記確認要求検出手段による確認要求の検出に応じてＣＰＵの動作を確認するために予め定められた確認項目に対応する処理を実行する処理実行手段、前記処理実行手段による実行に応じた処理結果と前記管理項目に対応して予め定められた判定条件とを比較して前記管理項目が正常であるか否かを判定する判定手段、前記判定手段の判定結果に基づいて前記管理項目に対応した処理結果を前記検針員に確認させるための確認用情報を生成する確認用情報生成手段、前記確認用情報生成手段が生成した確認用情報を後述する警報表示部（表示手段）に表示させる表示制御手段、としてＣＰＵ１１ａ１を機能させるための検針員用確認プログラムを記憶している。
【００１６】
ガスメータ１はさらに、電源部１０ａからの電力供給が断たれた場合でも、格納された各種データの保持が可能であり、ＣＰＵ１１ａの処理作業に必要な各種格納エリアを有する電気的消去／書き換え可能な読み出し専用のメモリ（ＥＥＰＲＯＭ）１２を有し、ＭＰＵ１１が読み書き可能に接続している。
【００１７】
このＥＥＰＲＯＭ１２は、ガスの使用量の計測に必要な各種カウンタと、ガスメータ１０の識別が可能な識別情報と、後述する遮断部１７の開閉状態を示すモード情報と、検針員からのＣＰＵ（プログラム実行手段）１１ａの動作の確認要求に応じて管理項目を示す管理項目情報と、リセットの発生の履歴を示すリセット履歴情報と、ガスメータ１０の設置場所に割り振られた地区情報と、を記憶している。
【００１８】
管理項目情報の一例としては、瞬時流量計測、圧力計測、計測関連動作確認、圧力関連動作確認、ＥＥＰＲＯＭ動作確認、計測異常警告有無等の管理項目を有して構成している。なお、本最良の形態では、瞬時流量計測及び圧力計測については、絶対的な計測ではなく、あくまでもＣＰＵ１１ａが正常に動作しているか否かを判断するための項目としている。そして、履歴情報の一例としては、リセットの発生回数、発生した日時等のデータを有している。
【００１９】
ガスメータ１０はさらに、操作部１３、警報表示部１４、通信部１５、流量センサ部１６、遮断部１７を有し、それらの各々はインタフェース部１９を介してＭＰＵ１１に接続している。
【００２０】
操作部１３は、リセットスイッチ等の複数の操作スイッチを有して構成しており、検針員等の操作に応じた信号はＭＰＵ１１に入力される。そして、ＭＰＵ１１は、リセットスイッチの操作に応じたリセット信号が入力されると、再び始動の状態に戻る。
【００２１】
警報表示部１４は、図示しない液晶表示器（ＬＣＤ）、警報ランプ等の表示部と警報ブザー、音声出力回路等の警報部とを有する。そして、ＭＰＵ１２から入力されるデータを表示したり、音、音声等で出力したりする。そして、通信部１５は、ＮＣＵ（Network Control Unit）が用いられ、公衆網を介してガス販売業者の管理装置との通信を可能とし、ＭＰＵ１１によって制御される。
【００２２】
流量センサ部１６は、例えば、ガス流路に配設された一対の超音波振動子から構成される。この流量センサ部１６は、センサ回路部（図示せず）を介してＭＰＵ１１に接続される。ＭＰＵ１１は、周知のように、流量センサ部１６の一対の超音波振動子間の超音波信号伝搬時間に基づいて、ガス流路を通過するガスの流速、流量を算出する。
【００２３】
なお、流量センサ部１６については、流量センサがガスメータ１０の内部の可動部（膜）の動きに応じて流量信号を発生し、該流量信号をデジタル変換してＭＰＵ１１に出力したり、フローセンサを用いたりするなど種々異なる実施の形態とすることができる。
【００２４】
遮断部１７は、遮断弁と該遮断弁を駆動する遮断弁駆動回路を有する。そして、遮断部１７は、ＭＰＵ１１からの指示に応じて、電源部１０ａからの電力を遮断弁に供給を制御することで、遮断弁はガス流路を弁開又は弁閉する。
【００２５】
圧力センサ部１８は、圧力センサが用いられ、インタフェース部１９を介してＭＰＵ１１に接続される。そして、圧力センサ部１８は、ガス流路内の圧力を示す圧力信号をＭＰＵ１１に出力する。
【００２６】
次に、ガスメータ１のＣＰＵ１１ａが実行する本発明に係る検針員確認処理の概要の一例を、図３のフローチャートを参照して以下に説明する。
【００２７】
上位モジュールから検針員確認支援処理が実行されると、ステップＳ１１において、操作部１３の復帰信号入力スイッチから所定の復帰信号が入力されたことが確認されると、ステップＳ１２において、ＥＥＰＲＯＭ１２のモード情報に基づいて、遮断中であるか否かが判定される。
【００２８】
モード情報が遮断弁が閉じている遮断モードを示している、つまり、遮断中であると判定された場合は（Ｓ１２でＹ）、遮断時に作業員等によって遮断部１７を弁開させるための復帰信号が入力されたと見なされ、遮断部１７に復帰信号が出力されることで、遮断弁１７は開弁状態となり、その後処理が終了される。
【００２９】
一方、モード情報が遮断弁が閉じていない通常モードを示している、つまり、遮断中ではないと判定された場合は（Ｓ１２でＮ）、検針員等によってＣＰＵ１１ａの動作を確認するための確認要求が入力されたものと見なされ、ステップＳ１４に進む。
【００３０】
ステップＳ１４（処理実行手段）において、流量センサ部１６に対する定期的なサンプリングによって内部の流路を流れるガスの瞬時流量が計測され、サンプリングした各種データ、瞬時流量、アンプレベル等がＲＡＭ１１ｃに記憶され、その後ステップＳ１５に進む。
【００３１】
ステップＳ１５（確認用情報生成手段）において、ＲＡＭ１１ｃの瞬時流量と各種データに基づいてＣＰＵ１１ａが正常に動作しているか否かを検針員に確認させるための瞬時流量確認情報（確認用情報）がＲＡＭ１１ｃに生成されて記憶され、その後ステップＳ１６に進む。なお、瞬時流量確認情報の一例としては、計測した瞬時流量、流量センサ部１６が備えるアンプの増幅率、サンプリング周期等の各種データを備えている。
【００３２】
ステップＳ１６（表示制御手段）において、ＲＡＭ１１ｃの瞬時流量確認情報が所定時間に亘って表示されるように警報表示部１４に出力されることで、警報表示部１４の表示部に瞬時流量確認情報が表示され、その後ステップＳ１７に進む。よって、検針員は、警報表示部１４に表示される瞬時流量確認情報に基づいて、超音波の波形が捉えられているか、アンプによる増幅が上限に達していないか、ＣＰＵ１１ａが正常に動作していないか等を判定することができる。
【００３３】
ステップＳ１７（処理実行手段）において、圧力センサ部１８から入力される圧力信号に基づいて圧力値が計測されてＲＡＭ１１ｃに記憶され、サンプリングしたパルス数などもＲＡＭ１１ｃに記憶され、その後ステップＳ１８に進む。
【００３４】
ステップＳ１８（確認用情報生成手段）において、ＲＡＭ１１ｃの圧力値と各種データに基づいてＣＰＵ１１ａが正常に動作しているか否かを検針員に確認させるための圧力確認情報（確認用情報）がＲＡＭ１１ｃに生成されて記憶され、その後ステップＳ１９に進む。なお、圧力確認情報の一例としては、計測した圧力値、圧力センサ部１８から入力されたパルス数等の各種データを備えている。
【００３５】
ステップＳ１９（表示制御手段）において、ＲＡＭ１１ｃの圧力確認情報が所定時間に亘って表示されるように警報表示部１４に出力されることで、警報表示部１４の表示部に圧力確認情報が表示され、その後ステップＳ２０に進む。よって、検針員は、警報表示部１４に表示される圧力確認情報に基づいて、圧力センサ部１８から圧力信号を正常に受信できているか等を判定することができる。
【００３６】
ステップＳ２０（判定手段）において、上述したＲＡＭ１１ｃのアンプレベルが予め定められた閾値以上になっていないか、ＥＥＰＲＯＭ１２のリセット履歴情報に基づいて異常なリセット回数となっていないか等の判定結果に基づいて、計測関連動作に関する管理項目が正常であるか否かが判定され、その判定結果が計測関連動作確認に対する判定結果情報としてＲＡＭ１１ｃに記憶されると共に、計測異常事象の有無が判定され、該判定結果が計測異常警告有無に対する判定結果情報としてＲＡＭ１１ｃに記憶され、その後ステップＳ２１に進む。
【００３７】
ステップＳ２１（判定手段）において、上述した圧力信号（パルス数）、計測された圧力値等が予め定められた規定範囲内であるか否かが判定され、該判定結果に基づいて圧力関連動作に関する管理項目が正常であるか否か判定され、該判定結果が圧力関連動作確認に対する判定結果情報としてＲＡＭ１１ｃに記憶され、その後ステップＳ２２に進む。
【００３８】
ステップＳ２２（判定処理）において、ＥＥＰＲＯＭ１２の空きアドレスの書き込み、予め定められたデータの読み込みが正常にできているか否かが判定され、該判定結果に基づいてＥＥＰＲＯＭ動作（ＣＰＵ）に関する管理項目が正常であるか否かが判定され、該判定結果がＥＥＰＲＯＭ動作に対する判定結果情報としてＲＡＭ１１ｃに記憶され、その後ステップＳ２３に進む。
【００３９】
ステップＳ２３（確認用情報生成手段）において、上述したＲＡＭ１１ｃの判定結果情報を検針員が視認できるように診断結果情報（確認用情報）がＲＡＭ１１ｃに生成されて記憶され、その後ステップＳ２４に進む。なお、本最良の形態では、管理項目に対応する点灯表示部を同一画面上に表示し、その判定結果が正常であれば各点灯表示部を点灯表示させるように確認用情報を生成している。
【００４０】
ステップＳ２４（表示制御手段）において、ＲＡＭ１１ｃの診断結果情報（確認用情報）が所定時間に亘って表示されるように警報表示部１４に出力されることで、警報表示部１４の表示部に診断結果情報が表示され、その後処理は終了する。よって、検針員は、警報表示部１４に表示される診断結果情報に基づいて、各管理項目に対する判定結果を参照することができる。
【００４１】
よって、以上の説明からも明らかなように、ガスメータ１０のＣＰＵ１１ａが請求項中の確認要求検出手段、処理実行手段、判定手段、確認用情報生成手段、及び、表示制御手段として機能している。
【００４２】
次に、上述した構成のガスメータ１０（流体計測装置）における動作（作用）の一例を、図４に示す表示例を参照して説明する。
【００４３】
検診日等に検針員によって、操作部１２のリセットスイッチが所定時間（例えば、３秒以上連続等）に亘って押下され、ガスメータ１０が遮断中でない場合、ガスメータ１０は、計測した瞬時流量を示す瞬時流量確認情報を生成して警報表示部１４に表示する。その結果、警報表示部１４には、図４（ａ）に示すように、瞬時流量である”２．０００ｍ3”が表示され、検針員は該表示に基づいて管理項目である瞬時流量が表示されるか否かを確認する。
【００４４】
ガスメータ１０は、その後、計測した圧力を示す圧力確認情報を生成して警報表示部１４に表示する。その結果、警報表示部１４には、図４（ｂ）に示すように、圧力値である”２．５０ｋＰａ”が表示され、検針員は該表示に基づいて、瞬時流量から次の管理項目である圧力値に切り替えられて表示されるか否かを確認する。
【００４５】
ガスメータ１０は、その後、計測異常有無の判定、圧力異常有無の判定、ＥＥＰＲＯＭ１２のチェックを行い、その結果を示す診断結果情報（確認用情報）を生成して警報表示部１４に表示する。その結果、警報表示部１４には、図４（ｃ）に示すように、点灯表示部１４ａ〜１４ｄを備える診断結果情報が表示され、点灯表示部１４ａが計測関連動作確認、点灯表示部１４ｂが圧力関連動作確認、点灯表示部１４ｃがＥＥＰＲＯＭ動作確認、点灯表示部１４ｄが計測異常警告有無にそれぞれ対応している。
【００４６】
検針員は、点灯表示部１４ａ〜１４ｄの全てが点灯状態になっていると、ガスメータ１０による自己診断の結果も全て正常であったことを確認する。また、点灯表示部１４ａ〜１４ｄの何れかが消灯状態、若しくは、瞬時流量、圧力値、診断結果情報に順次表示が切り替わらない等の表示内容、表示動作に基づいて、検針員はガスメータ１０のＣＰＵ１１ａが異常であることを確認する。
【００４７】
以上説明したように、本発明の流体計測装置を適用したガスメータ１０によれば、流路を流れるガスの使用量を計測し、該使用量を警報表示部（表示手段）１４に表示させるＣＰＵ（プログラム実行手段）１１ａが、検針員からの動作確認要求を検出した際に、管理項目に対応する処理を実行し、該処理結果とその判定条件との比較結果に基づいて判定を行い、該判定結果に基づいて診断結果情報（管理用情報）を生成して警報表示部１４に表示させるようにしたことから、検針員は予め定められた管理項目とその確認用情報を参照してＣＰＵ１１ａが正常に動作しているか否かを容易に判定することができる。
【００４８】
従って、複雑な入力操作を必要とせず、検針員は表示される確認用情報に基づいて動作確認を容易に行うことができるため、検針時の作業項目の１つとして浸透させることができ、ガス供給の安全レベルの向上にも貢献することができる。また、ガスメータ１０における既存の復帰スイッチにより確認要求を発生させているので、ガスメータ１０のコストへの影響もない。さらに、瞬時流量、圧力値等の計測結果を表示しているので、ガスメータ１０のみならず、供給環境の異常を検出する判断材料としても利用することができる。
【００４９】
また、管理項目に対応した処理結果とその判定条件との比較結果に基づいて判定を行い、該判定結果に基づいて診断結果情報（管理用情報）を生成することで、検針員は診断結果情報が示す判定結果と処理結果を比較して正常に動作しているか否かを判定することができるため、異常の有無が明確になり、より正確な動作確認を行うことができる。
【００５０】
なお、上述した本最良の形態では、図４（ｃ）に示すように、診断結果情報（管理用情報）によって点灯表示部１４ａ〜１４ｄの点灯、消灯を指示する場合について説明したが、本発明はこれに限定するものではなく、種々異なる表示形態とすることができる。
【００５１】
例えば、計測異常有無の判定、圧力異常有無の判定、ＥＥＰＲＯＭ１２のチェックし、全てのチェック結果が正常であるか否かを判定し、判定結果が正常である場合は、図５（ａ）に示す”ｇｏｏｄ”、また、判定結果が以上である場合は、図５（ｂ）に示す”ｅｒｒｏｒ”を警報表示部１４に表示させるための診断結果情報とすることもできる。このように診断結果を表示すれば、検針員に診断結果を一目で把握させることができる。
【００５２】
さらに、図５に示すように、”ｇｏｏｄ”及び”ｅｒｒｏｒ”を警報表示部１４の既存の７セグメントで表示するようにしていることから、新たな表示部を設ける必要がなく、コスト効率が良く、かつ、視認性の優れた本発明のガスメータ１０として実現させることができる。
【００５３】
また、上述した本最良の形態のように、計測異常有無の判定、圧力異常有無の判定、ＥＥＰＲＯＭ１２のチェック毎に診断結果を、”ｇｏｏｄ”、”ｅｒｒｏｒ”で表示する場合は、図５に示すように、ガスメータ１０が従来より表示している、遮断理由、警告理由等を表示するための理由表示部１４ｅの”Ａ”、”Ｂ”、”Ｃ”と組み合わせ、所定時間毎に切り替えて表示させることで、管理項目毎の処理結果を検針員に診断結果を一目で把握させることができる。
【００５４】
なお、上述した本最良の形態では、本発明の流体計測装置をガスメータ１０に適用した場合について説明したが、本発明はこれに限定するものではなく、流体計測装置を例えば、水、薬品などの流体を計測する機器として適用することもできる。
【図面の簡単な説明】
【００５５】
【図１】本発明の流体計測装置の基本構成を示す構成図である。
【図２】本発明の流体計測装置を適用したガスメータの概略構成の一例を示す構成図である。
【図３】図２のＣＰＵが実行する検針員確認処理の一例を示すフローチャートである。
【図４】確認用情報の表示例を示す図である。
【図５】確認用情報の他の表示例を示す図である。
【符号の説明】
【００５６】
１１ａ    プログラム実行手段（ＣＰＵ）
１１ａ１    確認要求検出手段（ＣＰＵ）
１１ａ２    処理実行手段（ＣＰＵ）
１１ａ３    判定手段（ＣＰＵ）
１１ａ４    確認用情報生成手段（ＣＰＵ）
１１ａ５    表示制御手段（ＣＰＵ）
１４    表示手段（警報表示部）
【図１】
2006038739.tif 000003
【図２】
2006038739.tif 000004
【図３】
2006038739.tif 000005
【図４】
2006038739.tif 000006
【図５】
2006038739.tif 000007